(57)【特許請求の範囲】
【請求項１】
画像形成装置の環境対応取得情報を記憶する記憶手段と、
前記記憶された環境対応取得情報を表示する表示手段と、
前記記憶手段に記憶された情報を表示指示する表示指示手段と、
前記表示指示があった場合に、前記表示手段に、前記環境対応取得情報に対応するラベルを表示するラベル表示手段と、
前記ラベル表示手段により表示されたラベルから、一のラベルを選択するラベル選択手段と、
前記選択されたラベルに対応する前記環境対応情報を表示する環境対応取得情報表示手段と、
を備え、
前記環境対応取得情報表示手段は、前記環境対応情報を表示するとともに、前記ラベル表示手段により表示されたラベルの中から、選択されたラベルと同一のラベルを表示することを特徴とする画像形成装置。
【請求項２】
前記環境対応取得情報は、前記画像形成装置が取得したカーボンフットプリントのマークまたは、前記画像形成装置のライフサイクル段階における原材料調達段階の活動量の二酸化炭素排出量換算値であること、を特徴とする請求項１に記載の画像形成装置。
【請求項３】
前記表示手段には、前記環境対応取得情報の名称を羅列して表示すること、
を特徴とする請求項１又は２に記載の画像形成装置。
【請求項４】
前記ラベル表示手段により表示されたラベルと、前記環境対応取得情報表示手段により表示されたラベルとは、略同一の大きさであることを特徴とする請求項１から３の何れか一項に記載の画像形成装置。
【請求項５】
前記環境対応取得情報表示手段は、
前記環境対応情報の種類及び値を行毎に複数表示し、
前記ラベルを表示する場合には、前記環境対応情報の値と同一線上近傍に表示されることを特徴とする請求項１から４の何れか一項に記載の画像形成装置。
【発明の詳細な説明】
【技術分野】
【０００１】
本発明は、画像形成装置に関する。
【背景技術】
【０００２】
近年、複写機、ファクシミリ、プリンタ等の画像形成装置において、ユーザが機種を選定する際に、ユーザの使用環境に即した製品情報等を提示することで、ユーザに適した機種選択が行えるようにしたものが知られている。
【０００３】
従来技術として、例えば、用紙への画像形成に関する使用履歴と、現在使用している画像形成装置の製品スペックデータとに基づいて、当該装置に代わる新機種導入の際の指標となる推奨スペックデータを演算結果として決定し、決定された推奨スペックデータを出力するようにしたものが提案されている（特許文献１）。
【０００４】
これにより、画像形成装置の買い換え等の置き換え時のための、ユーザの使用環境に即した製品スペックを提示し、ユーザに相応しい新機種の選定を支援することができる。
【先行技術文献】
【特許文献】
【０００５】
【特許文献１】特開２００７−１９６４８５号公報
【発明の概要】
【発明が解決しようとする課題】
【０００６】
しかしながら、上述した画像形成装置によれば、ユーザの使用環境に即した製品スペックを提示することはユーザにとっては有用な買い換え情報となるが、近年の地球環境への配慮から、地球温暖化防止等に貢献したいと考える対環境意識の高いユーザにとっては情報不足であった。
【０００７】
本発明は、上記従来の問題点に鑑みてなされたものであって、ユーザに対して環境対応取得情報としてカーボンフットプリントを提供することができる画像形成装置を提供することを目的とする。
【課題を解決するための手段】
【０００８】
上述した課題を解決するための本発明に係る画像形成装置は、
画像形成装置の環境対応取得情報を記憶する記憶手段と、
前記記憶された環境対応取得情報を表示する表示手段と、
前記記憶手段に記憶された情報を表示指示する表示指示手段と、
前記表示手段と前記表示指示手段とを制御する表示制御手段と、
を備え、
前記表示指示手段は、ユーザの指示を受け付けるものであって、
前記ユーザの指示を受け付けたときに、前記表示制御手段は、前記環境対応取得情報を表示させる制御を行うこと、
を特徴とする。
【発明の効果】
【０００９】
本発明の画像形成装置によれば、画像形成装置の環境負荷を算定した値であるカーボンフットプリントの取得要求を受け付け、取得要求を受け付けたときに、カーボンフットプリントの内訳情報として、画像形成装置における原材料調達段階、生産段階、流通段階、使用・維持管理段階及び廃棄・リサイクル段階における活動量に基づいて算出される温室効果ガスの排出量と、当該排出量から算出されるカーボンフットプリントとを取得し表示することができる。
【００１０】
したがって、ユーザに対して画像形成装置に関する環境負荷に関する情報を提供することができ、さらに、例えば、前記画像形成装置の使用頻度の節約や維持管理における費用を削減できる情報等を提供することができるので、ユーザが画像形成装置を買い換える際の環境に優しい画像形成装置選択の情報源となり、ユーザ、特に対環境意識の高いユーザのニーズに応えることができる。また、地球温暖化防止に貢献できる。
【００１１】
さらに、画像形成装置の販売店（画像形成装置のリース会社や画像形成装置のメーカーも含む）にとっても、画像形成装置の買い替えに伴う販売促進につながる。
【図面の簡単な説明】
【００１２】
【図１】本発明の実施形態に係る画像形成装置の全体の構成を示す説明図である。
【図２】前記画像形成装置の構成を示すブロック図である。
【図３】前記画像形成装置を構成する操作パネルの構成を示す説明図である。
【図４】前記操作パネルを構成する表示部の初期画面を示す説明図である。
【図５】前記操作パネルの表示部に表示されるサムネイル表示の一例を示す説明図である。
【図６】前記操作パネルの表示部に表示されるリスト表示の一例を示す説明図である。
【図７】環境対応取得情報のうちのカーボンホットプリントに関する情報の内訳の表示内容を示す説明図である。
【図８】前記画像形成装置の環境対応取得情報を入手するための通信ネットワークの一例を示す説明図である。
【図９】前記画像形成装置の環境対応取得情報を入手して表示部に表示する際の手順を示すフローチャートである。
【発明を実施するための形態】
【００１３】
以下、本発明を実施するための形態について図面を参照して説明する。
図１は発明を実施する形態の一例であって、本発明の実施形態に係る画像形成装置の全体の構成を示す説明図である。
【００１４】
本実施形態は、図１に示すように、電子写真方式によりトナーを用いて画像を形成する画像形成装置１に用いられる操作パネル（表示装置）１００であって、本発明に係る特徴的な表示装置の構成を採用したものである。
【００１５】
まず、画像形成装置１の全体構成について説明する。画像形成装置１は、外部から伝達される画像データに応じて所定のシート（記録用紙，記録媒体）に画像を形成するものである。画像形成装置１は、図１に示すように、主に、本体装置である電子写真プロセス部（図示省略）を備えた画像形成部３と、スキャナユニット（図示省略）を備えた画像読取部２とを備えて構成されている。
【００１６】
原稿画像をスキャナユニットで読み取ることにより得られた画像データは、各種処理が施された後、メモリに一旦記憶され、出力指示に応じてメモリから画像データを画像形成部３に出力して、感光体ドラム（図示省略）上に可視画像として再現した後、用紙上に画像を転写してトナー像を形成する。
【００１７】
画像形成部３に隣接して用紙を供給する給紙部４が構成されている。給紙部４は、第１〜３カセット３１，３２，３３、さらにオプションとして大容量カセット３４を有している。大容量カセット３４は、最も使用頻度の高い、例えばＡ４サイズの標準紙を大量に収容することができる。
【００１８】
画像読取部２と画像形成部３の間には排紙トレイ５１が形成されている。画像形成部３に隣接して後処理装置５が構成されている。後処理装置５には、第１排紙卜レイ５２，第２排紙トレイ５３が設けられている。
【００１９】
そして、画像形成装置１は、図示しないネットワーク回線（ＬＡＮ、電話回線等）を介してＰＣやＦＡＸと接続されている。
【００２０】
ここで、画像形成装置１の構成についてブロック図を参照して説明する。図２は本実施形態の画像形成装置の構成を示すブロック図である。
【００２１】
画像形成装置１は、図２に示すように、電気的構成として、画像形成装置１の動作を制御する制御部５０１、記憶部５０２、表示部５０３、入力部５０４、ネットワーク回線を介してＰＣ等とＬＡＮ接続等を行う通信部５０５、画像処理を行う画像処理部５０７、画像形成を行う画像形成部５０８、トナー像の定着処理を行う定着部５０９、スキャナにおいて画像の読み取りを行う読取部５０６、後処理装置５（図２の周辺機器を指す）の動作を制御する制御部５１０などを備えている。
【００２２】
次に、本実施形態の画像形成装置１における特徴的な操作パネル（表示装置）１００の構成について図面を参照して説明する。
【００２３】
図３は本実施形態に係る画像形成装置を構成する操作パネルの構成を示す説明図、図４は前記操作パネルを構成する表示部の初期画面を示す説明図である。
【００２４】
操作パネル１００は、図３，図４に示すように、操作面（入力部）１００ａが略平面状に構成されて、その略中央部に表示部１０１が構成されている。
【００２５】
表示部１０１には、画像形成装置１による処理モードを選択する操作キー１１０が表示されている。操作キー１１０により、ＣＯＰＹ  モード、ＩＭＡＧＥ  ＳＥＮＤ  モード、ＤＯＣＵＭＥＮＴ  ＦＩＬＩＮＧ  モードが選択可能になっている。
【００２６】
表示部１０１は、画像形成装置１の電源をＯＮにすると、図示しない初期画面が表示され、操作キー１１０によりＩＭＡＧＥ  ＳＥＮＤ  モードを選択すると、図４に示すように、ＩＭＡＧＥ  ＳＥＮＤ  初期画面１１０ａが表示される。
【００２７】
ＩＭＡＧＥ  ＳＥＮＤ  初期画面１１０ａの画面左下には、操作キーとしてのＥｃｏｖｉｅｗアイコン１２０が表示される。Ｅｃｏｖｉｅｗアイコン１２０をタッチすると、表示部１０１には、画像形成装置１が取得または認定されているエコラベルがサムネイル表示またはリスト表示で表示される。
【００２８】
また、操作パネル１００は、リスト表示とサムネイル表示とを切り替えるアイコン（図示省略）と、ＩＭＡＧＥ  ＳＥＮＤ  モードの初期画面１１０ａに戻すためのアイコン（図示省略）を備えている。
【００２９】
ここで、本実施形態における操作パネル１００の表示部１０１に表示されるエコラベル情報（環境対応取得情報）としてのサムネイル表示またはリスト表示について、図面を参照して詳細に説明する。
【００３０】
図５は本実施形態の操作パネルの表示部に表示されるサムネイル表示の一例を示す説明図、図６は前記操作パネルの表示部に表示されるリスト表示の一例を示す説明図、図７は環境対応取得情報のうちのカーボンホットプリントに関する情報の内訳の表示内容を示す説明図である。
【００３１】
本実施形態では、表示部１０１には、エコラベル情報をサムネイル表示するサムネイル表示画面１０１ａ（図５を参照）、または、エコラベル情報をリスト表示するリスト表示画面１０１ｂ（図６を参照）が表示される。
【００３２】
サムネイル表示画面１０１ａには、図５に示すように、グリーン購入法適合商品のサムネイル２０１、エコマーク（登録商標）のサムネイル２０２、カーボンフットプリントラベルのサムネイル２０３、国際エネルギースタープログラム（登録商標）のサムネイル２０４、ＧＰＮデータベース掲載商品のサムネイル２０５、ブルーエンジェルのサムネイル２０６、ノルディックスワン（登録商標）のサムネイル２０７、などが表示される。
【００３３】
なお、図中のカーボンフットプリントラベルのサムネイル２０３のＣＯ２排出量換算値は本実施例の説明上１００ｋｇとしている。これは画像形成装置の機種毎に値が変わるためである。
【００３４】
また、リスト表示画面１０１ｂには、図６に示すように、グリーン購入法適合商品のアイコン２１１、エコマーク（登録商標）のアイコン２１２、カーボンフットプリントのアイコン２１３、国際エネルギースタープログラム（登録商標）のアイコン２１４、ＧＰＮデータベース掲載商品のアイコン２１５、ブルーエンジェルのアイコン２１６、ノルディックスワン（登録商標）のアイコン２１７、などが表示される。
【００３５】
環境対応取得情報であるエコラベル情報として、グリーン購入法適合商品は、環境省が国や自治体で推進するグリーン購入について規定した法律に基づくものである。
【００３６】
エコマーク（登録商標）は、ＩＳＯ規格に準拠する日本国の規格に基づくもので、様々な環境影響をライフサイクルに亘って考慮して環境保全に資する商品を認定し、表示するものである。
【００３７】
カーボンフットプリントラベルは、商品及びサービスの原材料調達から廃棄・リサイクルに至るライフサイクル全体を通しての環境負荷を定量的に算定するＬＣＡ（ライフサイクルアセスメント）手法を活用し、ライフサイクル全体における温室効果ガス排出量をＣＯ２排出量に換算し表示するものである。
【００３８】
国際エネルギースタープログラム（登録商標）は、パソコンなどのオフィス機器の待機時における消費電力に着目したもので、米国、日本などで実施されているものである。
【００３９】
ＧＰＮデータベース掲載商品は、グリーン購入ネットワーク（ＧＰＮ）の購入ガイドラインに基づくデータベースに登録のある製品である。
【００４０】
ブルーエンジェルは、ドイツのエコマークであって、環境に優しい商品や企業の環境に対する姿勢等を消費者が知るための重要な指標のひとつであり、商品の生産から廃棄にいたるまで、あらゆる工程での環境への評価はもとより、同一の用途・機能の他商品と比較して、省エネ等において優秀で、しかも商品の有用性や安全性が保証される商品などに与えられる。また、ノルディックスワン（登録商標）は、北欧諸国の公認エコラベル制度に基づくエコマークである。
【００４１】
サムネイル表示画面１０１ａに表示されたそれぞれのサムネイルや、リスト表示画面１０１ｂに表示されたそれぞれのアイコンは、エコラベル情報の内訳情報を選択的に表示させる選択表示手段として構成されている。
【００４２】
本実施形態では、例えば、図５のサムネイル表示画面１０１ａに表示されているカーボンフットプリントのサムネイル２０３、または、図６のリスト表示画面１０１ｂに表示されているカーボンフットプリントのアイコン２１３をユーザがタッチすると、図７に示すように、表示部１０１に、画像形成装置１のライフサイクルにおけるライフサイクル段階の内訳とＣＯ２排出量換算値の内訳とが表示されるエコラベル情報内訳表示画面１０１ｃが表示される。
【００４３】
具体的には、画像形成装置１のカーボンフットプリントに関するエコラベル情報内訳表示画面１０１ｃには、図７に示すように、「ライフサイクル段階の内訳」として、原材料調達３０１、生産３０２、流通３０３、使用・維持管理３０４、廃棄・リサイクル３０５の項目を備えて、それぞれの項目に応じて「ＣＯ２排出量換算値の内訳」が表示されている。
【００４４】
本実施形態によれば、操作パネル１００の表示部１０１にエコラベル情報を表示して、表示された画面上でユーザが所望する画像形成装置１におけるエコラベル情報を選択することにより、ユーザは特定したエコラベル情報を容易に表示して確認することができる。
【００４５】
すなわち、対環境意識の高いユーザは、例えば、自身の関係する使用・維持管理に関わるＣＯ２排出量換算値を、図７に示すように、表示部１０１に表示されるカーボンフットプリンの詳細内容内訳より容易に知ることができる。
【００４６】
尚、図７中の右上に示すカーボンフットプリントラベルのマーク中に表示している１００ｋｇは、画像形成装置１のライフサイクル段階における原材料調達から廃棄・リサイクルまでのＣＯ２排出量換算値の合計量を示している。
【００４７】
本実施形態の場合は、使用・維持管理に関わるＣＯ２排出量の値が画像形成装置１のライフサイクルにおける合計量１００ｋｇの２０％を占めていることが分かり、画像形成装置１の使用の節約や維持管理費の削減をすることによって、２０％をより削減する活動を助成することができ、延いては、地球温暖化防止に貢献できるといった満足感を得ることができる。
【００４８】
また、使用・維持管理に関わるＣＯ２排出量換算値が２０ｋｇあることも判り、画像形成装置１の販売店によりいっそう使用・維持管理に関わるＣＯ２排出量換算値が少ない画像形成装置への買い替えやリースを試みて、結果、販売店にとっても画像形成装置の販売促進につながる。
【００４９】
ここで、画像形成装置１のライフサイクルにおける情報とは、画像形成装置１の原材料調達段階に始まり、生産段階、流通段階、使用・維持管理段階、廃棄・リサイクル段階の間に排出する温室効果ガスの種類と排出量の情報である。
【００５０】
温室効果ガスの種類には、京都議定書で対象となったＣＯ２、ＣＨ４、Ｎ２Ｏ、ＨＦＣｓ、ＰＦＣｓ、ＳＦ６の６種類があるが、ＣＯ２に換算した値がラベルに記録されるので、Ｅｃｏｖｉｅｗサムネイル表示には画像形成装置のＣＯ２換算値が表示される。
ＣＯ２排出量は、ＬＣＡ（ライフサイクルアセスメント）手法を活用して、下記一般式（Ｉ）で算定される。
【００５１】
ＣＯ２排出量＝Σ（活動量ｉ×ＣＯ２排出原単位）・・・（Ｉ）
ｉは上述した原材料調達から廃棄・リサイクルまでの活動量（プロセス）である。
ライフサイクルの各段階と活動量（プロセス）の例とを（１）から（５）に示す。
（１）原材料調達段階の活動量は、素材使用量である。
（２）生産段階の活動量は、組立て重量及び生産時の電力消費量である。
（３）流通段階の活動量は、輸送量（輸送距離と積載率とトラックの積載量との積）である。
（４）使用・維持管理段階の活動量は、使用時の電力消費量である。
（５）廃棄・リサイクル段階の活動量は、埋立重量とリサイクル重量である。
なお、ＣＯ２排出量の単位は（ｋｇ）である。
従って、ラベルには、ＣＯ２の文字とＣＯ２排出量（ｋｇ）との情報が記載される。
また、ＣＯ２排出量の単位は、（ｋｇ）以外にも（ｇ）や（ｔ）といった重量を表す単位でもよい。
【００５２】
なお、画像形成装置１のライフサイクルにおける情報以外にも様々なエコラベルの情報を表示することができる。法定マークや自主マーク等の何れであってもよい。また、時代の趨勢に添った新しい環境基準が制定された場合であっても、同様に表示することができる。
【００５３】
さらには、国や地域が異なれば取得する環境ラベルや認定される環境ラベルも異なるが、何れにおいても本発明を適応することができる。
【００５４】
次に、本実施形態の画像形成装置１の操作パネル１００によるエコラベル情報（環境対応取得情報）の詳細表示内容をネットワークから取得する際の操作について説明する。
図８は本実施形態の画像形成装置の環境対応取得情報を入手するための通信ネットワークの一例を示す説明図、図９は前記画像形成装置の環境対応取得情報を入手して表示部に表示する際の手順を示すフローチャートである。
【００５５】
本実施形態において、画像形成装置１の全体制御は、図２に示すように、制御部５０１により行なわれる。また、画像形成装置１の環境対応取得情報であるエコラベル情報は、記憶部５０２に記憶されている。記憶部５０２は、ＨＤＤ装置であってもよく、Ｂｌｕ−ｒａｙディスク装置、ＲＯＭやＲＡＭ、またはＵＳＢメモリ、メモリカードのメモリであってもよい。
【００５６】
また、画像形成装置１のエコラベル情報は、例えば、通信部５０５におけるＬＡＮ接続によりネットワークを介して画像形成装置１のエコラベル情報を持つ販売店やリース会社などのウエブサイトにアクセスしてエコラベル情報を入手することもできる。
【００５７】
例えば、図８に示すように、複数のユーザＡ，Ｂ，Ｃは、それぞれの端末機である画像形成装置１の通信部５０５におけるＬＡＮ接続によりＬＡＮ（ローカルエリアネットワーク）４００を介して販売店やリース会社などのサーバ４０１にアクセスしたり、通信衛星４１１を利用した衛星通信インフラ４１０を介してアクセスすることが可能である。
【００５８】
ＬＡＮ（ローカルエリアネットワーク）４００としては、有線の場合は、イーサネットIEEE規格の１０ＢＡＳＥ−Ｔ、１００ＢＡＳＥ−ＴＸ、１０ＧＢＡＳＥ−Ｔ等や、それらの光マルチモードの１０ＢＡＳＥ−Ｆ、１００ＢＡＳＥ−Ｆ、１０００ＢＡＳＥ−Ｘ、１０ＧＢＡＳＥ−Ｒ、１０ＧＢＡＳＥ−Ｗ、１０ＧＢＡＳＥ−Ｘ、無線の場合は、ＷｉＭＡＸのIEEE 802.16（ブロードバンド無線規格）、IEEE 802.16a（固定無線通信の標準規格、IEEE 802.16規格の使用周波数帯を変更したもの）、IEEE 802.16-2004（固定区間に用いられる方式、別名IEEE 802.16a/REVd）、ＷＡＮ、そして、クラウドコンピューティングサービス（専用事業者：クラウドプロバイダー）も利用できる。
【００５９】
次に、画像形成装置１において、画像形成装置１の環境対応取得情報の詳細表示内容をネットワークから取得してその情報を表示部１０１に表示する場合について、フローチャートに沿って説明する。
【００６０】
図９に示すように、画像形成装置１の電源をＯＮにすると、図示しない初期画面が表示される（ステップＳ１）。その初期画面において、画像形成装置１による処理モードを選択する操作キー１１０によりＩＭＡＧＥ  ＳＥＮＤ  モードを選択して、ＩＭＡＧＥ  ＳＥＮＤ  モードが実行される（ステップＳ２）。このとき、表示部１０１には、ＩＭＡＧＥ  ＳＥＮＤ  初期画面１１０ａが表示される。
【００６１】
そして、ＩＭＡＧＥ  ＳＥＮＤ  初期画面１１０ａに表示されたＥｃｏｖｉｅｗアイコン１２０がタッチされたか否かが判断される（ステップＳ３）。ステップＳ３において、Ｅｃｏｖｉｅｗアイコン１２０がタッチされていないと判断された場合は、画像形成装置１のエコラベル情報の入手処理は実行されずに終了する。
【００６２】
一方、ステップＳ３において、Ｅｃｏｖｉｅｗアイコン１２０がタッチされたと判断された場合は、通信部５０５におけるＬＡＮ接続によりネットワークを介して画像形成装置１のエコラベル情報を持つウエブサイトにアクセスしてエコラベル情報に関する詳細情報が入手され、そして、入手された詳細情報は記憶部５０２に格納される（ステップＳ４）。
【００６３】
そして、エコラベル情報に関する詳細情報を表示部１０１に表示するか否かが判断される（ステップＳ５）。ステップＳ５において、エコラベル情報に関する詳細情報を表示しないと判断された場合は、画像形成装置１のエコラベル情報の表示処理は実行されずに終了する。
【００６４】
一方、ステップＳ５において、エコラベル情報に関する詳細情報を表示すると判断された場合は、表示部１０１に画像形成装置１のエコラベル情報に関する詳細情報を表示する。そして、画像形成装置１のエコラベル情報の入手処理と表示処理は終了する。
【００６５】
以上のように構成したので、本実施形態によれば、画像形成装置１の操作パネル１００において、表示部１０１の構成として、図５，図６に示すように、画像形成装置１の環境対応取得情報として取得したエコラベル情報をサムネイル表示やリスト表示する機能を備え、図７に示すように、環境対応取得情報としてカーボンフットプリントラベルに関する情報、すなわち画像形成装置１のライフサイクルにおける温室効果ガスの種類（ＣＯ２）と温室効果ガスの総排出量との情報を含むエコラベル情報を表示するとともに、画像形成装置１のライフサイクルにおける情報の内訳情報を表示するようにしたので、ユーザに対して画像形成装置１に関する環境対応取得情報を明確に提供することができる。従って、例えば、画像形成装置１の使用頻度の節約や維持管理における費用を削減できる情報等を提供することで、ユーザが画像形成装置を買い換える際の環境に優しい画像形成装置選択の情報源となり、ユーザ、特に対環境意識の高いユーザのニーズに応えることができる。その結果、地球温暖化防止にも貢献できる。
【００６６】
尚、画像形成装置１に表示する場合は、印刷設定時やＦＡＸ設定時、メール設定時等の操作中以外に表示することが好ましい。画像形成装置１を複数のユーザで使用している場合は、各種操作設定の邪魔になる虞がある。従って、画像形成装置１の電源ＯＮ後やスリープモードからの復帰時に表示させ、環境対応取得情報を表示することがより好ましい。
【００６７】
また、電源ＯＮ後の例えば「しばらくお待ち下さい」というメッセージや「画質調整中です」等のメッセージと伴に表示させてもよい。このようにすることで、画像形成装置１を緊急で印刷したい等の場合は、「しばらくお待ち下さい」というメッセージや「画質調整中です」等のメッセージが消えたＲｅａｄｙ状態後に緊急印刷処理が終了した後に環境対応取得情報を表示するなどして、画像形成装置１を有効利用できる。
【００６８】
なお、本実施形態では、環境対応取得情報の内訳情報として、図７に示すように、画像形成装置１のライフサイクルにおける使用・維持管理に関する温室効果ガス（ＣＯ２）と温室効果ガスの排出量を表示しているが、本発明はこれに限定されるものではない。
【００６９】
例えば、ブルーエンジェルの内訳情報として、コピー機における消費電力、オゾン量、埃や塵の量、騒音（音量）などの値を表示するものや、ノルディックスワン（登録商標）の内訳情報として、製品の最大待機電力（例えば、コピー機：０Ｗ〜１７５Ｗ、ＯＦＦモードで５Ｗ〜２０Ｗ）の値を表示するものであってもよい。
【００７０】
また、本実施形態では、表示部１０１にＥｃｏｖｉｅｗアイコン１２０を備えて、表示切換えスイッチとしているが、画面サイズが小さく、且つ操作部（メニューキー、テンキー、プリントキー等）が小さくＥｃｏｖｉｅｗアイコンが設けられない場合には、表示部１０１以外の箇所にＥｃｏｖｉｅｗ操作キーを備えることもできる。また、本実施形態では、Ｅｃｏｖｉｅｗアイコン１２０を表示部１０１の右側下部に設けているが、特に限定せず、表示部１０１においての上部、下部、左側、右側の何れの箇所に設けてもよい。
【００７１】
なお、上述した実施形態及び変形例では、本発明に係る表示装置の構成を図１に示すような画像形成装置１の操作パネル１００に適用した例について説明したが、表示部を有する操作パネルを備える装置であれば、上述したような構成の画像形成装置や複写機に限定されるものではなく、その他の装置、例えば家電製品、民生用機器（映像・音響・通信などに関連した電子機器や装置において、一般消費者による使用・一般家庭での使用を目的としていること、または、そのことを前提に開発・設計された製品・規格を指す）、及び業務用機器（法人(企業や学校、官公庁)など、一般家庭以外の用途を前提として開発された製品）等に展開が可能である。
さらに、本実施例の画像形成装置１とＬＡＮ４００を介して画像形成装置１を操作できるパーソナルコンピュータや携帯情報端末、または液晶ディスプレイ、有機ＥＬディスプレイ、プラズマディスプレイ、プラズマチューブアレイディスプレイ、電気泳動等を利用した電子ペーパーディスプレイ、電子放出素子を用いたディスプレイ（ＦＥＤ、ＳＥＤ）等のディスプレイを備えた電子機器も利用可能である。
【００７２】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【００７３】
また、本発明は、画像形成装置の環境対応取得情報を表示する機能を備える表示部を有し、前記環境対応取得情報として、前記画像形成装置のライフサイクルにおける温室効果ガスの種類と前記温室効果ガスの総排出量との情報を含み、前記表示部は、前記環境対応取得情報を表示するとともに、前記画像形成装置の内訳情報を表示する機能を備えることを特徴とする表示装置に適用しても良い。
【００７４】
また、本発明は、前記環境対応取得情報を、リスト表示またはサムネイル表示することとしても良い。
【００７５】
また、本発明は、前記表示装置の構成として、前記環境対応取得情報に応じてその内訳情報を前記表示部に選択的に表示させる選択表示手段を備えることとしても良い。
【００７６】
また、本発明は、前記内訳情報として、少なくとも前記画像形成装置のライフサイクルにおける使用・維持管理に関する前記温室効果ガスの種類と前記温室効果ガスの排出量とを含むこととしても良い。
【００７７】
また、本発明は、前記表示装置の構成として、前記内訳情報を前記画像形成装置の記憶装置または前記画像形成装置と接続されたネットワークを介して販売店やリース会社などから入手する機能を備えることとしても良い。
【００７８】
また、本発明によれば、前記環境対応取得情報を、リスト表示またはサムネイル表示することで、ユーザに対する内訳情報の視認性の向上を図ることができる。
【００７９】
また、本発明によれば、前記表示装置の構成として、前記環境対応取得情報に応じてその内訳情報を前記表示部に選択的に表示させる選択表示手段を備えることで、ユーザの所望する内訳情報を容易に表示させることができ、操作の利便性の向上を図ることができる。
【００８０】
また、本発明によれば、前記内訳情報として、少なくとも前記画像形成装置のライフサイクルにおける使用・維持管理に関する前記温室効果ガスの種類と前記温室効果ガスの排出量とを含むことで、ユーザに対して画像形成装置に関する環境情対応取得報を提供することができる。
【００８１】
また、本発明によれば、前記表示装置の構成として、前記内訳情報を前記画像形成装置の記憶装置または前記画像形成装置と接続されたネットワークを介して入手する機能を備えることで、前記記憶装置に記憶させた前記内訳情報を入手する場合は通信費用が削減でき、一方、前記ネットワークを介して前記内訳情報を入手する場合は前記記憶装置の記憶容量を削減できるので安価な記憶装置を用いることができる。
【００８２】
また、本発明の画像形成装置によれば、請求項１から５のうちの何れか一項に記載の表示装置を備えたことで、ユーザに対して画像形成装置に関する環境対応取得情報を提供することができるので、ユーザが画像形成装置を買い換える際の環境に優しい画像形成装置選択の情報源となり、ユーザ、特に対環境意識の高いユーザのニーズに応えることができる。
【符号の説明】
【００８３】
１  画像形成装置
１００  操作パネル（表示装置）
１０１  表示部
１０１ａ  サムネイル表示画面
１０１ｂ  リスト表示画面
１０１ｃ  エコラベル情報内訳表示画面
１１０  操作キー
１１０ａ  ＩＭＡＧＥ  ＳＥＮＤ  初期画面
１２０  Ｅｃｏｖｉｅｗアイコン
２０１，２０２，２０３，２０４，２０５，２０６，２０７  サムネイル
２１１，２１２，２１３，２１４，２１５，２１６，２１７  アイコン
３０１  原材料調達（内訳情報）
３０２  生産（内訳情報）
３０３  流通（内訳情報）
３０４  使用・維持管理（内訳情報）
３０５  廃棄・リサイクル（内訳情報）
４００  ＬＡＮ（ローカルエリアネットワーク）
４１０  衛星通信インフラ
【図１】
0005941125.tif 000002
【図２】
0005941125.tif 000003
【図３】
0005941125.tif 000004
【図４】
0005941125.tif 000005
【図５】
0005941125.tif 000006
【図６】
0005941125.tif 000007
【図７】
0005941125.tif 000008
【図８】
0005941125.tif 000009
【図９】
0005941125.tif 000010